(57)【要約】【課題】  従来の粒子回収装置では、装置が大掛かりになり、又、高価になり、さらに、装置が複雑になるという点である。【解決手段】  ケース１内に折り曲げられた金属パイプ２が装着され、この金属パイプ２の下部解放部２ａにモータ３によって回転吸気する吸気装置４が接続され、金属パイプ２の上部は解放され、又、金属パイプ２の下部に回収容器５が接続され、さらに、金属パイプ２の一部にボルト締めランジュバン型の超音波振動子６が装着され、又、ケース１内に装着された電源装置７からモータ３及び超音波振動子６に電力が供給されている。【選択図】図１
2006000711.tif 000002
【特許請求の範囲】
【請求項１】
モータで回転される吸気装置と、該吸気装置により吸気された気体を導入する金属パイプと、該金属パイプに取り付けられた超音波振動子と、該超音波振動子の超音波振動によって、前記金属パイプに導入された気体に含まれる粒子を前記金属パイプ内に捕集付着させて、前記金属パイプで回収された粒子を回収する回収容器とからなることを特徴とする超音波粒子捕集装置。
【請求項２】
前記吸気装置で吸気される気体は室内の空気であり、前記金属パイプで回収する粒子は水分であることを特徴とする請求項１記載の超音波粒子捕集装置。
【請求項３】
前記吸気装置で吸気される気体はオイルミストであり、前記金属パイプで回収する粒子はオイル粒子であることを特徴とする請求項１記載の超音波粒子捕集装置。
【請求項４】
前記吸気装置で吸気される気体は煙草の煙であり、前記金属パイプで回収される粒子はタール等の物質であることを特徴とする請求項１記載の超音波粒子捕集装置。
【請求項５】
前記吸気装置で吸気される気体は工場内の排煙であり、前記金属パイプで回収される粒子は煙に含まれる物質であることを特徴とする請求項１記載の超音波粒子捕集装置。
【発明の詳細な説明】
【技術分野】
【０００１】
本発明は、金属パイプを超音波振動させて、金属パイプ内に定在波を発生させて気体中の粒子を凝集捕集する超音波粒子捕集装置に関するものである。
【背景技術】
【０００２】
一般に、粒子回収装置としては、エバポレータを冷却して凝縮したり、サイクロンや加熱等を利用して、除湿することが行われている。
【０００３】
しかしながら、このようなエバポレータやサイクロン等を使用するシステムとしては、非常に大掛かりな装置が必要となり、又、オイルミストの回収装置では、セラミックフィルターやヘパフィルター又は水の流水膜を使用しているが、このような装置も複雑な構成であるという問題があった。
【発明の開示】
【発明が解決しようとする課題】
【０００４】
解決しようとする問題点は、従来の粒子回収装置では、装置が大掛かりになり、又、高価になり、さらに、装置が複雑になるという点である。
【課題を解決するための手段】
【０００５】
モータで吸気装置を回転して吸気装置より金属パイプに気体を導入し、この金属パイプに超音波振動子を取り付けて、この超音波振動子の超音波振動によって金属パイプを振動し、金属パイプに導入された気体に含まれる粒子を超音波振動により金属パイプ内に発生した定在波で凝集捕集して付着させて、この金属パイプ内に付着した粒子を回収容器で回収するものである。
【発明の効果】
【０００６】
本発明では、金属パイプに超音波振動子を装着することにより、金属パイプを超音波振動させ、金属パイプに導入された気体から粒子を金属パイプ内に付着させて気体に含まれる粒子を回収するもので、複雑な構成を必要としないため、メンテナンスが容易である。
【実施例】
【０００７】
図１は本発明の実施例の超音波粒子捕集装置の透視斜視図、図２は図１の超音波粒子捕集装置の側面図で、ケース１内に折り曲げられた金属パイプ２が装着され、この金属パイプ２の下部解放部２ａにモータ３によって回転吸気する吸気装置４が接続され、金属パイプ２の上部は解放され、又、金属パイプ２の下部に金属パイプ２と連通するパイプ５ａが接続され、このパイプ５ａに回収容器５が接続され、さらに、金属パイプ２の一部にボルト締めランジュバン型の超音波振動子６が装着され、又、ケース１内に装着された電源装置７からモータ３及び超音波振動子６に電力が供給されている。
【０００８】
このように構成された本実施例の超音波粒子捕集装置では、モータ３の回転により吸気装置４を回転すると、吸気装置４から金属パイプ２に周囲の空気が吸気され、そこで、超音波振動子６が振動していると、金属パイプ２内を通過する空気が金属パイプ２の内壁に接触することによって、水分の粒子が金属パイプ２の内壁に付着し、水滴となって下方に流れ、回収容器５で回収される。
【０００９】
このように構成された本実施例の超音波粒子捕集装置では、金属パイプ２を超音波振動子６で振動するだけの簡単な構成で、空気中の湿気を除去することができる。
【００１０】
なお、超音波振動子６を金属パイプ２に装着するには、図３に示すように、金属パイプ２に支持部材８を固着し、この支持部材８の片面に金属ブロック９と金属ホーン１０の間に圧電体振動子１１をボルト（図示せず）で挟持した超音波振動子６のホーン１０を装着し、他方の面に波長の１／２の長さのダミー部材１２を装着して、ダミー部材１２に固着したネジ１２ａでホーン１０とダミー部材１２とを支持部材８に一体に固着する。
【００１１】
このように構成することにより、超音波振動子６の振動により、この振動が金属パイプ２全体に伝達して、効率良く金属パイプ２内を通過する気体より湿気を除去することができる。
【００１２】
図４は本発明の他の実施例の超音波粒子捕集装置の斜視図で、ケース１の内部に金属パイプ（図示せず）が装着され、又、ケース１の前面にスイッチ１３が装着され、ケースの下部に装着された透明な回収容器５は金属パイプにパイプ５ａを介して接続され、ケース１の気体取り入れ口１ａの近傍に金属パイプに接続された吸気装置４を装着し、気体をケース１内に装着した金属パイプを通して下方に排出するように構成されている。
このように構成された本実施例では、ケース１の外部に金属パイプ２と連通するパイプ５ａを介して回収容器５が接続され、回収容器５を透明容器にしているので、回収容器５に溜まった粒子の状態を見て容器を取り替えることができる。
【産業上の利用可能性】
【００１３】
なお、上記実施例では、気体に含まれる湿気を除去する例を説明したが、オイルミストからオイル粒子を除去するものでもよいし、煙草の煙からタール等の物質を除去するようにしてもよいし、さらに、工場内の排煙から煙に含まれる物質を除去するようにしてもよい。
【図面の簡単な説明】
【００１４】
【図１】本発明の実施例の超音波粒子捕集装置の透視斜視図である。
【図２】図１の超音波粒子捕集装置の側面図である。
【図３】本発明の他の実施例の金属パイプに超音波振動子を装着する側面図である。
【図４】本発明の他の実施例の超音波粒子捕集装置の斜視図である。
【符号の説明】
【００１５】
１                ケース
２                金属パイプ
３                モータ
４                吸気装置
５                回収装置
６                超音波振動子
７                電源装置
８                支持部材
【図１】
2006000711.tif 000003
【図２】
2006000711.tif 000004
【図３】
2006000711.tif 000005
【図４】
2006000711.tif 000006